(57)【特許請求の範囲】
【請求項１】
画像の被表示領域における視環境を示す環境情報に基づき、目標色を再現できるように、前記画像を表示するために用いられる画像情報を補正して画像を表示する画像表示システムにおいて、
ＲＧＢ形式の画像を表示する場合に、所定の階調のＲ色、Ｇ色、Ｂ色、白色の４種類のキャリブレーション画像を前記被表示領域に投写表示するとともに、前記補正の行われた画像を前記被表示領域に投写表示する画像表示手段と、
前記４種類のキャリブレーション画像が表示された状態での４種類の環境情報を出力する視環境把握手段と、
当該４種類の環境情報に基づき、前記視環境における前記画像表示手段で表示可能な色域を示す現環境色域を演算するとともに、暗室条件での前記画像表示手段で表示可能な色域を示す理想環境色域の面積と、前記現環境色域の面積と、の比率を演算する色域演算手段と、
前記４種類の環境情報に基づき、画像の色を補正するために前記画像情報を補正する色補正手段と、
前記比率に基づいて、当該比率が１以外の場合に、画像の明るさを調整するために階調特性情報を補正し、前記４種類の環境情報と、前記階調特性情報とに基づき、色補正手段によって補正された画像情報を、画像の明るさを補正するために補正する明るさ補正手段と、
を含むことを特徴とする画像表示システム。
【請求項２】
請求項１において、
前記階調特性情報は、ガンマカーブ情報であって、
前記明るさ補正手段は、ロジスティック関数を用いて前記ガンマカーブ情報を補正することを特徴とする画像表示システム。
【請求項３】
請求項１、２のいずれかにおいて、
前記明るさ補正手段は、低階調域と低階調域以外の階調域とで異なるパラメータ値を用いて所定の演算を行って前記階調特性情報を補正することを特徴とする画像表示システム。
【請求項４】
画像の被表示領域における視環境を示す環境情報に基づき、目標色を再現できるように、前記画像を表示するために用いられる画像情報を補正する画像処理方法において、
所定の階調の複数種類のキャリブレーション画像がそれぞれ表示されるごとに、環境情報を出力する視環境把握工程と、
当該環境情報に基づき、前記視環境における画像表示手段で表示可能な色域を示す現環境色域を演算する工程と、
暗室条件での前記画像表示手段で表示可能な色域を示す理想環境色域の面積と、前記現環境色域の面積と、の比率を演算する工程と、
当該比率に基づいて、当該比率が１以外の場合に、画像の明るさを調整するために階調特性情報を補正する階調特性補正工程と、
前記環境情報に基づき、画像の色を補正するために前記画像情報を補正する色補正工程と、
前記環境情報と、前記階調特性情報とに基づき、色補正工程で補正された画像情報を、画像の明るさを補正するために補正する明るさ補正工程と、
を含むことを特徴とする画像処理方法。
【請求項５】
請求項４において、
前記階調特性情報は、ガンマカーブ情報であって、
前記明るさ補正工程では、ロジスティック関数を用いて前記ガンマカーブ情報を補正することを特徴とする画像処理方法。
【請求項６】
請求項４、５のいずれかにおいて、
前記階調特性補正工程では、低階調域と低階調域以外の階調域とで異なるパラメータ値を用いて所定の演算を行って前記階調特性情報を補正することを特徴とする画像処理方法。
【請求項７】
画像の被表示領域における視環境を示す環境情報に基づき、目標色を再現できるように、前記画像を表示するために用いられる画像情報を補正して画像を表示するためのプログラムであり、コンピュータにより読み取り可能なプログラムであって、
コンピュータを、
ＲＧＢ形式の画像を表示する場合に、所定の階調のＲ色、Ｇ色、Ｂ色、白色の４種類のキャリブレーション画像を前記被表示領域に投写表示するとともに、前記補正の行われた画像を、画像表示手段に前記被表示領域に投写表示させる手段と、
前記４種類のキャリブレーション画像が表示された状態での４種類の環境情報を視環境把握手段に出力させる手段と、
当該４種類の環境情報に基づき、前記視環境における前記画像表示手段で表示可能な色域を示す現環境色域を演算するとともに、暗室条件での前記画像表示手段で表示可能な色域を示す理想環境色域の面積と、前記現環境色域の面積と、の比率を演算する色域演算手段と、
前記４種類の環境情報に基づき、画像の色を補正するために前記画像情報を補正する色補正手段と、
前記比率に基づいて、当該比率が１以外の場合に、画像の明るさを調整するために階調特性情報を補正し、前記４種類の環境情報と、前記階調特性情報とに基づき、色補正手段によって補正された画像情報を、画像の明るさを補正するために補正する明るさ補正手段として機能させることを特徴とするプログラム。
【請求項８】
請求項７において、
前記階調特性情報は、ガンマカーブ情報であって、
前記明るさ補正手段は、ロジスティック関数を用いて前記ガンマカーブ情報を補正することを特徴とするプログラム。
【請求項９】
請求項７、８のいずれかにおいて、
前記明るさ補正手段は、低階調域と低階調域以外の階調域とで異なるパラメータ値を用いて所定の演算を行って前記階調特性情報を補正することを特徴とするプログラム。
【請求項１０】
コンピュータにより読み取り可能な情報記憶媒体であって、
請求項７〜９のいずれかに記載のプログラムを記憶したことを特徴とする情報記憶媒体。
【発明の詳細な説明】
【０００１】
【発明の属する技術分野】
本発明は、環境光の影響を考慮して画像を表示するための画像表示システム、画像処理方法、プログラムおよび情報記憶媒体に関する。
【０００２】
【背景技術および発明が解決しようとする課題】
ｓＲＧＢ等の画像種別やＮＴＳＣ等の画像表示方式に準拠した目標色と等価な画像の色の見えを再現できるように、ＣＭＳ（Color Management System）等の色変換システムが提案されている。
【０００３】
しかし、環境光（照明光や日光等）等の影響を受ける場合には、画像の色だけでなく画像の明るさも変化してしまう。
【０００４】
このため、環境光（照明光や日光等）等の影響を考慮して画像情報を補正する必要がある。
【０００５】
例えば、第２９５６４０１号特許公報では、照度測定手段を用いて計測した外光のレベルに応じてレベル変換特性を制御する方式が提案されている。
【０００６】
この方式によれば、画像の明るさを補正することはできるが、照度を測定しただけでは画像の色を補正することは困難である。
【０００７】
また、環境光の影響を考慮して画像の色を補正する場合には、基本となる複数種のキャリブレーション（校正）用画像を、Ｒ（赤）、Ｇ（緑）、Ｂ（青）、Ｗ（白）の各色について所定の階調ごとに表示して測色して補正するため、測色や、画像情報の補正を行うための補正用データ（例えば、マトリクスや１次元ルックアップテーブル等）の生成等に多くの時間がかかり、補正用データのデータ量も多大なものとなっていた。
【０００８】
本発明は、上記の課題に鑑みなされたものであり、その目的は、環境光の影響を考慮して画像の色と明るさを補正する場合に、より短時間に校正を行うことが可能な画像表示システム、画像処理方法、プログラムおよび情報記憶媒体を提供することにある。
【０００９】
【課題を解決するための手段】
上記課題を解決するため、本発明に係る画像表示システムは、画像の被表示領域における視環境を示す環境情報に基づき、目標色を再現できるように、前記画像を表示するために用いられる画像情報を補正して画像を表示する画像表示システムにおいて、
ＲＧＢ形式の画像を表示する場合に、所定の階調のＲ色、Ｇ色、Ｂ色、白色の４種類のキャリブレーション画像を前記被表示領域に投写表示するとともに、前記補正の行われた画像を前記被表示領域に投写表示する画像表示手段と、
前記４種類のキャリブレーション画像が表示された状態での４種類の環境情報を出力する視環境把握手段と、
当該４種類の環境情報に基づき、前記視環境における前記画像表示手段で表示可能な色域を示す現環境色域を演算するとともに、暗室条件での前記画像表示手段で表示可能な色域を示す理想環境色域の面積と、前記現環境色域の面積と、の比率を演算する色域演算手段と、
前記４種類の環境情報に基づき、画像の色を補正するために前記画像情報を補正する色補正手段と、
前記比率に基づいて、当該比率が１以外の場合に、画像の明るさを調整するために階調特性情報を補正し、前記４種類の環境情報と、前記階調特性情報とに基づき、色補正手段によって補正された画像情報を、画像の明るさを補正するために補正する明るさ補正手段と、
を含むことを特徴とする。
【００１０】
また、本発明に係るプログラムは、画像の被表示領域における視環境を示す環境情報に基づき、目標色を再現できるように、前記画像を表示するために用いられる画像情報を補正して画像を表示するためのプログラムであり、コンピュータにより読み取り可能なプログラムであって、
コンピュータを、
ＲＧＢ形式の画像を表示する場合に、所定の階調のＲ色、Ｇ色、Ｂ色、白色の４種類のキャリブレーション画像を前記被表示領域に投写表示するとともに、前記補正の行われた画像を、画像表示手段に前記被表示領域に投写表示させる手段と、
前記４種類のキャリブレーション画像が表示された状態での４種類の環境情報を視環境把握手段に出力させる手段と、
当該４種類の環境情報に基づき、前記視環境における前記画像表示手段で表示可能な色域を示す現環境色域を演算するとともに、暗室条件での前記画像表示手段で表示可能な色域を示す理想環境色域の面積と、前記現環境色域の面積と、の比率を演算する色域演算手段と、
前記４種類の環境情報に基づき、画像の色を補正するために前記画像情報を補正する色補正手段と、
前記比率に基づいて、当該比率が１以外の場合に、画像の明るさを調整するために階調特性情報を補正し、前記４種類の環境情報と、前記階調特性情報とに基づき、色補正手段によって補正された画像情報を、画像の明るさを補正するために補正する明るさ補正手段として機能させることを特徴とする。
【００１１】
また、本発明に係る情報記憶媒体は、コンピュータにより読み取り可能な情報記憶媒体であって、上記手段としてコンピュータを機能させるためのプログラムを記憶したことを特徴とする。
【００１２】
本発明によれば、キャリブレーション（校正用）画像の表示、測色を４回行うことにより、画像の色と明るさの両方を補正できるため、キャリブレーションを従来よりもより短時間に行うことができる。
【００１３】
また、前記所定の階調として、最高階調を用いれば、ダイナミックレンジの狭い低コストのセンサーを用いることも可能となる。
【００１４】
なお、ここで、目標色とは、例えば、ユーザーによって選択された、画像表示方式（例えば、ＮＴＳＣ、ＰＡＬ、ＳＥＣＡＭ等）や画像種別（例えば、ＲＧＢ、ｓＲＧＢ等）に準拠した理想的な色のことである。
【００１５】
また、前記画像表示システム、前記プログラムおよび前記情報記憶媒体において、前記階調特性情報は、ガンマカーブ情報であって、
前記明るさ補正手段は、ロジスティック関数を用いて前記ガンマカーブ情報を補正してもよい。
【００１６】
これによれば、ロジスティック関数は、人による評価尺度と物理量の関係を求める劣化量加算モデルとして画質評価に最も用いられる関数であるため、人が感じる明るさ感覚をより適切に反映した画像を表示することができる。
【００１７】
また、前記画像表示システム、前記プログラムおよび前記情報記憶媒体において、前記明るさ補正手段は、低階調域と低階調域以外の階調域とで異なるパラメータ値を用いて所定の演算を行って前記階調特性情報を補正してもよい。
【００１８】
これによれば、低階調域と低階調域以外の階調域とで異なるパラメータ値を用いることにより、階調に応じた適切な出力を得ることができる。
【００１９】
すなわち、低階調域の出力を上げる場合と同じ演算式を用いて高階調域の出力を上げると出力が上がりすぎてしまい、画像がつぶれる等の事態が生じる場合もある。
【００２０】
本発明のように、低階調域と低階調域以外の階調域とで異なるパラメータ値を用いることにより、出力の上がりすぎを防止し、画像がつぶれる等の事態の発生を低減させることができる。
【００２１】
なお、前記低階調域としては、例えば、全階調域の中間階調値よりも低い階調値から０階調までの領域が該当する。
【００２２】
また、ここで、前記低階調域以外の階調域として複数の階調域が設けられ、前記明るさ補正手段は、前記階調域ごとに異なるパラメータ値を用いて所定の演算を行って前記階調特性情報を補正してもよい。
【００２３】
これによれば、最低階調と最大階調を除く中間階調において、人が感じる明るさ感覚を考慮して明るさ（コントラスト）の補正がなされるため、より自然な環境光補正が可能となる。
【００２４】
また、前記画像表示システムは、前記比率に基づき、前記目標色情報を補正する手段を含んでもよい。
【００２５】
また、前記プログラムおよび前記情報記憶媒体は、前記比率に基づき、前記目標色情報を補正する手段としてコンピュータを機能させてもよい。
【００２６】
これによれば、順応変移を考慮した目標色情報の補正をより短時間に行うことができる。なぜなら、順応変移は、照明光等の影響が大きく、上記色域の面積も照明光等の影響を反映したものであり、上記色域の面積の演算は短時間に行うことができ、当該演算を行うことにより擬似的に順応変移を演算結果に反映させることができるからである。
【００２７】
また、本発明に係る画像処理方法は、画像の被表示領域における視環境を示す環境情報に基づき、目標色を再現できるように、前記画像を表示するために用いられる画像情報を補正する画像処理方法において、
所定の階調の複数種類のキャリブレーション画像がそれぞれ表示されるごとに、環境情報を出力する視環境把握工程と、
当該環境情報に基づき、前記視環境における前記画像表示手段で表示可能な色域を示す現環境色域を演算する工程と、
暗室条件での前記画像表示手段で表示可能な色域を示す理想環境色域の面積と、前記現環境色域の面積と、の比率を演算する工程と、
当該比率に基づいて、当該比率が１以外の場合に、画像の明るさを調整するために階調特性情報を補正する階調特性補正工程と、
前記環境情報に基づき、画像の色を補正するために前記画像情報を補正する色補正工程と、
前記環境情報と、前記階調特性情報とに基づき、色補正工程で補正された画像情報を、画像の明るさを補正するために補正する明るさ補正工程と、
を含むことを特徴とする。
【００２８】
本発明によれば、キャリブレーション（校正用）画像の表示、測色を数回行うことにより、画像の色と明るさの両方を補正できるため、キャリブレーションを従来よりもより短時間に行うことができる。
【００２９】
また、前記画像処理方法において、前記階調特性補正工程では、低階調域と低階調域以外の階調域とで異なるパラメータ値を用いて所定の演算を行って前記階調特性情報を補正してもよい。
【００３０】
これによれば、低階調域と低階調域以外の階調域とで異なるパラメータ値を用いることにより、階調に応じた適切な出力を得ることができる。
【００３１】
また、前記画像処理方法において、前記階調特性情報は、ガンマカーブ情報であって、
前記明るさ補正工程では、ロジスティック関数を用いて前記ガンマカーブ情報を補正してもよい。
【００３２】
これによれば、ロジスティック曲線は、人による評価尺度と物理量の関係を求める劣化量加算モデルとして画質評価に最も用いられる関数であるため、人が感じる明るさ感覚をより適切に反映した画像を表示することができる。
【００３３】
【発明の実施の形態】
以下、本発明を、液晶プロジェクタを用いた画像表示システムに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００３４】
（システム全体の説明）
図１は、本実施の形態の一例に係る画像表示システムの概略説明図である。
【００３５】
スクリーン１０のほぼ正面に設けられた投写型表示装置の一種であるプロジェクタ２０から、所定のプレゼンテーション用の画像が投写される。プレゼンター３０は、スクリーン１０上の被表示領域である画像表示領域１２の画像の所望の位置をレーザーポインタ５０から投射したスポット光７０で指し示しながら、第三者に対するプレゼンテーションを行う。
【００３６】
このようなプレゼンテーションを行う場合、スクリーン１０の種別や、環境光８０によって画像表示領域１２の画像の見え方は大きく異なってしまう。例えば、同じ白を表示する場合であっても、スクリーン１０の種別によっては、黄色がかった白に見えたり、青色がかった白に見えたりする。また、同じ白を表示する場合であっても、環境光８０が異なれば、明るい白に見えたり、暗い白に見えたりする。
【００３７】
また、近年、プロジェクタ２０は小型化が進み、持ち運びも容易になっている。このため、例えば、客先においてプレゼンテーションを行う場合もあり得るが、客先の環境に合わせて色を事前に調整することは困難であり、客先で色を手動で調整するには時間がかかりすぎる。
【００３８】
従来のプロジェクタでは、プロジェクタ固有の入出力特性を示す入出力用プロファイルに基づき、色の変換を行っているだけであり、画像の投写表示される視環境は考慮されていない。なお、プロファイルとは、特性データという意味である。
【００３９】
しかし、上述したように、視環境を考慮しなければ、画像の色の見え方を統一することは困難である。色の見え方は、光、対象の光の反射または透過、視覚の３つの要因で決定する。
【００４０】
本実施の形態では、ユーザーによって設定された目標色または規定の目標色と、光および対象の光の反射または透過を反映した視環境を把握することにより、適切な画像の色の見えを再現できる画像表示システムを実現している。
【００４１】
具体的には、図１に示すように、視環境を把握する視環境把握手段として機能する色光センサー６０を設け、色光センサー６０からの環境情報をプロジェクタ２０に入力する。色光センサー６０は、具体的には、スクリーン１０内の画像表示領域１２の環境情報（より具体的にはＲＧＢまたはＸＹＺの三刺激値）を計測する。
【００４２】
プロジェクタ２０には、色光センサー６０からの環境情報、ユーザーの画像表示方式等の選択情報等に基づき、変換用マトリクスを生成し、当該変換用マトリクスを用いて、画像表示に用いられる画像情報を補正する変換手段が設けられている。
【００４３】
環境情報に基づいて視環境を把握することにより、適切な画像の色の見えを再現できる画像表示システムを実現している。
【００４４】
また、本実施の形態では、プレゼンテーション開始直前の視環境下の環境情報に基づき、現環境での色域と理想環境での目標色を示す目標プロファイル（目標色情報）と、階調特性情報の一種であるガンマカーブ情報とを補正することにより、より適切な画像の色の見えを再現している。
【００４５】
（機能ブロックの説明）
次に、これらの機能を実現するためのプロジェクタ２０の画像処理部の機能ブロックについて説明する。
【００４６】
図２は、本実施形態の一例に係るプロジェクタ２０内の画像処理部１００の機能ブロック図である。
【００４７】
プロジェクタ２０は、ＰＣ等から送られるアナログ形式のＲＧＢ信号を構成するＲ１信号、Ｇ１信号、Ｂ１信号をＡ／Ｄ変換部１１０に入力し、デジタル形式のＲ２信号、Ｇ２信号、Ｂ２信号を、ＣＰＵ２００によって制御される画像処理部１００で色変換を行っている。
【００４８】
そして、プロジェクタ２０は、色変換したＲ３信号、Ｇ３信号、Ｂ３信号をＤ／Ａ変換部１８０に入力し、アナログ変換されたＲ４信号、Ｇ４信号、Ｂ４信号を、画像表示手段の一部であるＬ／Ｖ（ライトバルブ）駆動部１９０に入力し、液晶ライトバルブを駆動して画像の投写表示を行っている。
【００４９】
画像処理部１００は、補正部１２０と、キャリブレーション信号発生部１５０と、色域演算部１６０と、目標プロファイル記憶部１６２と、プロジェクタプロファイル記憶部１６４と、目標プロファイル補正部１６６とを含んで構成されている。
【００５０】
キャリブレーション信号発生部１５０は、キャリブレーション（校正用）画像信号を生成する。このキャリブレーション画像信号は、Ａ／Ｄ変換部１１０から出力される信号と同様に、デジタル形式のＲ２信号、Ｇ２信号、Ｂ２信号として補正部１２０に入力される。
【００５１】
このように、キャリブレーション画像信号をプロジェクタ２０の内部で生成するため、ＰＣ等の外部入力装置からキャリブレーション画像信号をプロジェクタ２０に入力することなく、プロジェクタ２０単体でキャリブレーションを行うことができる。
【００５２】
補正部１２０は、キャリブレーション信号発生部１５０からのＲＧＢの各デジタル信号（Ｒ２信号、Ｇ２信号、Ｂ２信号）を、プロジェクタプロファイル記憶部１６４が管理しているプロジェクタプロファイルを参照し、プロジェクタ出力に適したＲＧＢデジタル信号（Ｒ３信号、Ｇ３信号、Ｂ３信号）に補正する。
【００５３】
また、補正部１２０は、色の補正を行う色補正部１２２と、明るさ（階調）の補正を行う明るさ補正部１２４とを含んで構成されている。
【００５４】
また、目標プロファイル記憶部１６２は、目標プロファイルを記憶し、プロジェクタプロファイル記憶部１６４は、プロジェクタプロファイルを記憶している。
【００５５】
なお、ここで、目標プロファイルとは、目標とすべき色の入出力特性データの一種である。目標プロファイルとして、ユーザーが選択可能な複数種の画像特性に対応して複数種のプロファイルが設けられる。また、プロジェクタプロファイルとは、プロジェクタ２０の機種に対応した入出力特性データの一種である。
【００５６】
また、目標プロファイル補正部１６６は、目標色情報補正手段として機能し、目標プロファイル記憶部１６２に記憶された目標色プロファイルを、色光センサー６０からの環境情報に基づいて補正する。
【００５７】
また、色域演算部１６０は、目標プロファイル記憶部１６２に記憶された目標プロファイル（目標色情報）、色光センサー６０からの環境情報、プロジェクタプロファイル記憶部１６４に記憶されたプロジェクタプロファイルに基づき、目標色に適合した色および明るさであって、かつ、視環境に適合した画像の色の見えになるように、色域を演算する。
【００５８】
（画像処理の流れの説明）
次に、これら各部を用いた画像処理の流れについてフローチャートを用いて説明する。
【００５９】
図３は、本実施形態の一例に係る画像処理の手順を示すフローチャートである。
【００６０】
プロジェクタ２０は、キャリブレーション信号発生部１５０からキャリブレーション信号（Ｒ２、Ｇ２、Ｂ２）を発生させる。
【００６１】
キャリブレーション信号発生部１５０は、当該キャリブレーション信号を補正部１２０に出力する。
【００６２】
補正部１２０の色補正部１２２は、デフォルト（初期状態）の色変換用マトリクスを用いてキャリブレーション信号を補正し、さらに、補正部１２０の明るさ補正部１２４は、デフォルト（初期状態）のガンマカーブを用いてキャリブレーション信号を補正し、デジタルＲＧＢ信号（Ｒ３、Ｇ３、Ｂ３）として出力する。
【００６３】
そして、Ｄ／Ａ変換部１８０は、デジタルＲＧＢ信号をアナログＲＧＢ信号（Ｒ４、Ｇ４、Ｂ４）に変換する。そして、Ｌ／Ｖ駆動部１９０は、アナログＲＧＢ信号（Ｒ４、Ｇ４、Ｂ４）に基づき、液晶ライトバルブを駆動する。そして、プロジェクタ２０は、キャリブレーション画像を画像表示領域１２に投写表示する（ステップＳ２）。
【００６４】
画像表示領域１２にキャリブレーション画像が表示された状態で、色光センサー６０は、視環境を把握するために三刺激値を検出して環境情報として色域演算部１６０および目標プロファイル補正部１６６に出力する（ステップＳ４）。これにより、色域演算部１６０および目標プロファイル補正部１６６は、視環境を把握することができる。
【００６５】
このように、キャリブレーション画像を用いて、視環境の把握を行うことにより、より適切に視環境を把握し、画像の色の見えをより適切に再現することができる。
【００６６】
より具体的には、キャリブレーション画像の表示は、Ｒ（赤）、Ｇ（緑）、Ｂ（青）、Ｗ（白）の４色を表示する。
【００６７】
すなわち、本実施の形態では、キャリブレーション画像の表示を４回行って視環境を把握する。
【００６８】
そして、色域演算部１６０は、色光センサー６０からの環境情報に基づいて現環境での色域を演算する（ステップＳ６）。
【００６９】
また、目標プロファイル記憶部１６２は、色域演算部１６０からの情報に基づく現環境での色域と理想環境での色域とに基づき、目標プロファイルを補正する（ステップＳ８）
図４は、現環境と理想環境でのプロジェクタ２０の表示可能色域を示す模式図である。
【００７０】
図４に示すように、ｘｙ色度図において、理想環境（暗室条件）におけるプロジェクタ２０の表示可能色域ＲＧＢの面積Ｓ１は、現環境（環境光の影響を受ける明室条件）におけるプロジェクタ２０の表示可能色域Ｒ’Ｇ’Ｂ’の面積Ｓ２に比べて大きい。これは、現環境では照明光等の影響を受けてしまうためである。
【００７１】
本実施の形態では、上記のＳ１／Ｓ２（Ｓ２／Ｓ１でもよい。）を用いて環境の変化を把握する。
【００７２】
さらに、本実施の形態では、プロジェクタ２０は、プレゼンテーション実行時の視環境下でプロジェクタ２０で表示可能な表示可能色域を演算するとともに、ユーザーによって選択された画像表示方式での目標となる色域を示す目標色域を把握している。そして、求めた表示可能色域と目標色域とを比較して目標色域にできるだけ近い色をプロジェクタ２０で表示できるように画像処理を行っている。
【００７３】
また、明るさ補正部１２４は、色域演算部１６０からの情報に基づく現環境での色域と理想環境での色域とに基づき、ガンマカーブを補正する（ステップＳ１０）。
【００７４】
ここで、ガンマカーブの補正について説明する。
【００７５】
図５は、ガンマカーブの一例を示す模式図である。
【００７６】
一般に、入力階調をｘ、出力階調をｙ、係数をａ、ガンマ値をγとした場合、ｙ＝ａｘγという式で表される。また、デフォルトでは、γ＝２．２である。
【００７７】
明るさ補正部１２４は、Ｓ１／Ｓ２が１でない場合、すなわち、図５の実線で示すγ＝２．２のガンマカーブが、図５の２点鎖線で示すγ＝１のガンマカーブに近づくように、ガンマカーブを補正する。
【００７８】
そして、色補正部１２２は、色域演算部１６０からの環境情報に基づき、色補正用情報の一種である色変換用マトリクスを生成する。また、明るさ補正部１２４は、色域演算部１６０からの環境情報に基づき、明るさ補正用環境情報を生成する。
【００７９】
そして、色補正部１２２は、生成した色変換用マトリクスを用いて色変換（画像情報の変換）を行う（ステップＳ３８）。より具体的には、マトリクス変換部１２４は、３行３列の色変換用マトリクスを用いてデジタルＲＧＢ信号（Ｒ２、Ｇ２、Ｂ２）を変換する。
【００８０】
また、明るさ補正部１２４は、色補正部１２２によって変換されたデジタルＲＧＢ信号を、明るさ補正用環境情報を用いて変換し、デジタルＲＧＢ信号（Ｒ３、Ｇ３、Ｂ３）として出力する。
【００８１】
プロジェクタ２０は、変換されたデジタルＲＧＢ信号（Ｒ３、Ｇ３、Ｂ３）をＤ／Ａ変換部１８０を用いてＤ／Ａ変換し、変換されたアナログＲＧＢ信号（Ｒ４、Ｇ４、Ｂ４）を用いて実際のプレゼンテーション画像を表示する（ステップＳ１４）。
【００８２】
（明るさの補正の説明）
ここで、画像の明るさの補正についてより詳細に説明する。図５では、説明の簡略化のため、単一のガンマカーブを用いたが、本実施の形態では、低階調域と高階調域とで異なるパラメータを用い、低階調域と高階調域とで異なるガンマカーブを用いている。以下、この点について説明する。
【００８３】
例えば、明るさ補正部１２４は、以下の数式を用いてγ（ガンマ値）の補正量Δγを求めて補正後のγ’を求める。
【００８４】
Δγ＝−ｈ（γ−γmin）＋（１＋EXP（−α））-1・・・（１）
γ’＝γ＋Δγ・・・(２)
なお、ここで、（１）式の第１項のｈは調整パラメータで、α＝０のとき、Δγ＝０になる様に自動的に決定される調整パラメータである。αは上述した明るさ補正用環境情報、γminは変換値制御用データとして用いられるγ最小値である。
【００８５】
より具体的には、αとしてはＲＧＢの最大階調で得られる色域内の面積S1、R ’、G ’、B ’の最大階調で得られる色域内の面積S２とした場合、（Ｓ１／Ｓ２−１）×１０をαとして適用することができる。また、（１）式の第２項はロジスティック関数である。
【００８６】
ここで、Δγを求める具体例について説明する。
【００８７】
図６は、本実施の形態の一例に係るαに対するΔγの変化を示す図である。また、図７は、本実施の形態の一例に係るαに対するγ’の変化を示す図である。
【００８８】
ここでは、デフォルトのγが１．８、γminが０．３である場合について説明する。
【００８９】
この場合、例えば、明るさ補正用環境情報αの値が−２、すなわち、標準の視環境よりも明るい場合には、Δγの値は−０．３８となり、γ’の値は１．４２となる。つまり、照明光等の影響によって視環境が明るい状況である場合には、γの値が小さくなる。
【００９０】
また、例えば、明るさ補正用環境情報αの値が１０、すなわち、標準の視環境よりも暗い場合には、Δγの値は０．５となり、γ’の値は２．３となる。つまり、照明光等の影響によって視環境が暗い状況である場合には、γの値が大きくなる。
【００９１】
図８は、γ補正後の規格化階調ｘに対する出力の変化を示す図である。
【００９２】
図８は、図６、図７に示す条件で、αの値が−２の場合のＷ（白色）の出力の変化を示している。
【００９３】
図８を見れば分かるように、環境光補正後の出力は０階調と最大階調を除く中間階調領域において、ガンマ値が１に近づいた単一カーブになっている。
【００９４】
なお、Ｗ（白色）でなく、ＲＧＢの各原色信号の場合も同様である。
【００９５】
また、ガンマ値を小さくした場合、低、中階調域での照明光等の影響は補正できるが、高階調域では出力が大きくなりすぎ、コントラストが小さくなってしまい、画像がつぶれて見づらくなってしまう場合も生じうる。
【００９６】
そこで、低階調域と低階調域以外の階調域でγ’の値が異なるようにすれば、低階調域でも低階調域以外の階調域でも適切な色を再現できる。
【００９７】
図９は、本実施の形態の一例に係る低階調域と低階調域以外の階調域でγ’の値を異なるようにした場合の出力の変化を示す図である。また、図１０は、本実施の形態の一例に係る低階調域用の出力の変化と低階調域以外の階調域での出力の変化を示す図である。
【００９８】
例えば、図１０に示すように、低階調域用の出力をＹ１＝Ｗmax1＊ｘ＾γ’１で求め、低階調域以外の階調域での出力をＹ２＝Ｗmax2＊ｘ＾γ’２で求めるものとする。なお、ここで、＾は累乗の意味である。
【００９９】
また、ここで、γ’１は低階調域用補正済みγであり、γ’２は低階調域以外の階調域用補正済みγである。図９に示すように、Ｙ１が低階調域ではＹ１がＹ２よりも大きく、高階調域ではＹ１がＹ２よりも小さくなるように、以下のように値を設定する。
【０１００】
例えば、低階調側の設定値として、デフォルトγ１＝０．５、コントラスト係数Ｗmax1＝０．５、γmin1＝０．３とし、高階調側の設定値として、デフォルトγ２＝１．８、コントラスト係数Ｗmax2＝１．０、γmin2＝１．２とする。また、α＝−０．３６であるものとする。
【０１０１】
この場合、上述したγ’を求める数式を用いて演算を行うと以下のようになる。
【０１０２】
γ’１（低階調域用）＝０．４１
γ’２（低階調域以外の階調域用）＝１．７１
さらに、これより低階調域の出力曲線、低階調域以外の出力曲線は図１０に示すＹ１、Ｙ２のようなグラフを描く。
【０１０３】
そして、低階調域ではＹ１を採用し、低階調域以外の階調域ではＹ２を採用することにより、図９に示すようなグラフが描ける。
【０１０４】
このように、低階調域と低階調域以外の階調域とでパラメータを調整することにより、低階調域での画像のつぶれや高階調域での画像のとび等を低減し、より適切な画像を再現できる。
【０１０５】
以上のように、本実施の形態によれば、キャリブレーション画像の表示、測色を数回行うことにより、画像の色と明るさの両方を補正できるため、キャリブレーションを従来よりもより短時間に行うことができる。
【０１０６】
また、本実施の形態によれば、低階調域と低階調域以外の階調域とで異なるパラメータ値を用いることにより、階調に応じた適切な出力を得ることができる。
【０１０７】
さらに、理想環境での表示可能色域の面積と現環境での表示可能色域との面積との比率に基づき、目標プロファイルやガンマカーブを補正することにより、順応変移を考慮した補正をより短時間に行うことができる。なぜなら、順応変移は、照明光等の影響が大きく、上記色域の面積も照明光等の影響を反映したものであり、上記色域の面積の演算は短時間に行うことができ、当該演算を行うことにより擬似的に順応変移を演算結果に反映させることができるからである。
【０１０８】
特に、ロジスティック関数を用いてガンマカーブ情報を補正することにより、人が感じる明るさ感覚をより適切に反映した画像を表示することができる。なぜなら、ロジスティック関数は、人による評価尺度と物理量の関係を求める劣化量加算モデルとして画質評価に最も用いられる関数であるからである。
【０１０９】
（ハードウェアの説明）
なお、上述した各部に用いるハードウェアとしては、例えば、以下のものを適用できる。
【０１１０】
例えば、Ａ／Ｄ変換部１１０としては、例えばＡ／Ｄコンバーター等、Ｄ／Ａ変換部１８０としては、例えばＤ／Ａコンバーター等、Ｌ／Ｖ駆動部１９０としては、例えば液晶ライトバルブ駆動ドライバ等、補正部１２０や目標プロファイル補正部１６６としては、例えば画像処理回路やＡＳＩＣ等、色域演算部１６０としては、例えばＣＰＵやＲＡＭ等、目標プロファイル記憶部１６２、プロジェクタプロファイル記憶部１６４としては例えばＲＡＭ等、色光センサー６０としては例えば輝度センサーやＣＣＤセンサー等を用いて実現できる。なお、これら各部は回路のようにハードウェア的に実現してもよいし、ドライバのようにソフトウェア的に実現してもよい。
【０１１１】
また、図２に示すように、これら各部の機能を液晶プロジェクタ内のコンピュータが情報記憶媒体３００からプログラムを読み取って実現してもよい。情報記憶媒体３００としては、例えば、ＣＤ−ＲＯＭ、ＤＶＤ−ＲＯＭ、ＲＯＭ、ＲＡＭ、ＨＤＤ等を適用でき、その情報の読み取り方式は接触方式であっても、非接触方式であってもよい。
【０１１２】
また、情報記憶媒体３００に代えて、上述した各機能を実現するためのプログラムを、伝送路を介してホスト装置等からダウンロードすることによって上述した各機能を実現することも可能である。すなわち、上述した各機能を実現するための情報は、搬送波に具現化されるものであってもよい。
【０１１３】
以上、本発明を適用した好適な実施の形態について説明してきたが、本発明の適用は上述した実施例に限定されない。
【０１１４】
（変形例）
例えば、上述した実施例ではキャリブレーション画像は、４種類であったが４種類に限定されるものではない。
【０１１５】
また、上述したプロジェクタのような投写型画像表示装置以外の表示手段で画像表示を行ってプレゼンテーション等を行う場合にも本発明を適用できる。このような表示手段としては、例えば、液晶プロジェクタのほか、ＣＲＴ（Ｃａｔｈｏｄｅ  Ｒａｙ  Ｔｕｂｅ）、ＰＤＰ（Ｐｌａｓｍａ  Ｄｉｓｐｌａｙ  Ｐａｎｅｌ）、ＦＥＤ（Ｆｉｅｌｄ  Ｅｍｉｓｓｉｏｎ  Ｄｉｓｐｌａｙ）、ＥＬ（Ｅｌｅｃｔｒｏ  Ｌｕｍｉｎｅｓｃｅｎｃｅ）、直視型液晶表示装置等のディスプレイ装置、ＤＭＤ（Ｄｉｇｉｔａｌ  Ｍｉｃｒｏｍｉｒｒｏｒ  Ｄｅｖｉｃｅ）を用いたプロジェクタ等が該当する。なお、ＤＭＤは米国テキサスインスツルメンツ社の商標である。また、プロジェクタは前面投写型のものに限られず、背面投写型のものであってもよい。
【０１１６】
また、プレゼンテーション以外にも、ミーティング、医療、デザイン・ファッション分野、営業活動、コマーシャル、教育、さらには映画、ＴＶ、ビデオ、ゲーム等の一般映像等における画像表示を行う場合にも本発明は有効である。
【０１１７】
なお、上述したプロジェクタ２０の画像処理部１００の機能は、単体の画像表示装置（例えば、プロジェクタ２０）で実現してもよいし、複数の処理装置で分散して（例えば、プロジェクタ２０とＰＣとで分散処理）実現してもよい。
【図面の簡単な説明】
【図１】本実施形態の一例に係る画像表示システムの概略説明図である。
【図２】本実施形態の一例に係るプロジェクタ内の画像処理部の機能ブロック図である。
【図３】本実施形態の一例に係る画像処理の手順を示すフローチャートである。
【図４】現環境と理想環境でのプロジェクタの表示可能色域の一例を示す模式図である。
【図５】ガンマカーブの一例を示す模式図である。
【図６】本実施の形態の一例に係るαに対するΔγの変化を示す図である。
【図７】本実施の形態の一例に係るαに対するγ’の変化を示す図である。
【図８】γ補正後の規格化階調ｘに対する出力の変化を示す図である。
【図９】本実施の形態の一例に係る低階調域と低階調域以外の階調域でγ’の値を異なるようにした場合の出力の変化を示す図である。
【図１０】本実施の形態の一例に係る低階調域用の出力の変化と低階調域以外の階調域での出力の変化を示す図である。
【符号の説明】
２０  プロジェクタ
５０  レーザーポインタ
６０  色光センサー
８０  環境光
１２０  補正部
１２２  色補正部
１２４  明るさ補正部
１５０  キャリブレーション信号発生部
１６０  色域演算部
１６２  目標プロファイル記憶部
１６４  プロジェクタプロファイル記憶部
１６６  目標プロファイル補正部
３００  情報記憶媒体
【図１】
0003894302.tif 000002
【図２】
0003894302.tif 000003
【図３】
0003894302.tif 000004
【図４】
0003894302.tif 000005
【図５】
0003894302.tif 000006
【図６】
0003894302.tif 000007
【図７】
0003894302.tif 000008
【図８】
0003894302.tif 000009
【図９】
0003894302.tif 000010
【図１０】
0003894302.tif 000011